(57)【要約】      （修正有）【課題】床上のただ一つの排水口へ同時に収束排水できる排水口収束構造を提供する。【解決手段】排水口収束構造を提供し、嵌合式は、中空管体を呈する本体１０であり、本体上部分は、少なくとも１つの外管路接続口１１であり、そのうち、本体１０の一部は、直径が外向きに徐々に大きくなる形状の集流部２０であり、そのうち、集流部２０は、少なくとも１つの集流孔２１を設ける本体１０と、集流部２０の内径に設けられ、下向き延伸体を呈し、本体を排水口に嵌合固定させる用途として設けられる固定部材３０と、を含む。また、もう１つの実施例の螺合式は、中空管体を呈する本体を含み、本体上部分は、少なくとも１つの管路接続口であり、本体下部分は、固定部材を設け、固定部材は、螺合孔を設け、螺子で本体を排水口に螺合させ、本体下部を底上げすることに用い、そのうち、固定部材は、底上げ固定されて２辺の集流部を形成する。【選択図】図１
0003201842.tif 000002
【実用新案登録請求の範囲】
【請求項１】
中空管体を呈する本体であり、該本体の上部分は、少なくとも１つの管路接続口であり、そのうち、該本体の一部は、直径が外向きに徐々に大きくなる形状の集流部であり、そのうち、該集流部は、少なくとも１つの集流孔を設ける本体と、
該集流部の内径に設けられ、下向き延伸体を呈し、該本体を排水口に嵌合固定させる用途として設けられる固定部材と、
を含む排水口収束構造。
【請求項２】
前記本体の下部分は、直径が外向きに徐々に拡大する形状を呈する該集流部が円錐状を呈する請求項１に記載の排水口収束構造。
【請求項３】
前記本体の固定部材は、下向きに延伸してストリップ状を呈する複数の固定片から構成される請求項１に記載の排水口収束構造。
【請求項４】
前記本体の集流孔は、アーチ型ストリップ状を呈する請求項１に記載の排水口収束構造。
【請求項５】
前記本体の管路接続口は、該本体は、側辺へ延伸し、該本体と逆Ｌ形状を呈する請求項１に記載の排水口収束構造。
【請求項６】
前記本体の管路接続口は、該本体から両側へ延伸し、該本体とＴ字形状を呈する請求項１に記載の排水口収束構造。
【請求項７】
前記該本体の側辺に外付け管口が設けられ、該本体の該管路接続口は、２つずつ相対する複数の固定フックが設けられ、ソケットカバー上の固定ラッチにより嵌合結合することに用いられる請求項１に記載の排水口収束構造。
【請求項８】
前記管接続口は、
スリーブ部上の固定ラッチと結合することができる２つずつ相対する複数の固定フックと、
該スリーブ部上に接続され、該管路接続口に用いる湾折管であり、該スリーブ、該湾折管は、相互に直列接続でき、これにより、市販の外付け排水ホースを該湾曲管他端に挿入することができる湾折管と、
を設ける請求項７に記載の排水口収束構造。
【請求項９】
中空管体を呈する本体を含み、該本体は、少なくとも１つの管路接続口であり、該本体の下部分は、固定部材を設け、該本体を排水口に螺合させ、該本体の下部を底上げすることに用いられ、そのうち、該固定部材は、底上げ固定されて２辺の集流部を形成してなる排水口収束構造。
【請求項１０】
前記本体の固定部材は、導流片を含み、そのうち、該導流片は、１つ以上の導流孔、螺合片、螺合孔、螺子、タイルを設け、これにより該本体該本体を排水口に螺合する請求項９に記載の排水口収束構造。
【請求項１１】
前記本体は、スリーブ部と、ホースコネクタと、を含み、そのうち、該スリーブ部は、２つの相対するラッチと、２つの相対するフックと、を設け、該スリーブ部及び該ホースコネクタを該本体管路接続口に固定させ、これにより、市販の外付け排水ホースを排水用に挿入させることができる請求項９に記載の排水口収束構造。
【請求項１２】
前記本体は、使用していないそのうちの該管路接続口にソケットカバーが設け、該ソケットカバーを使用していないそのうちの該その他の管路接続口を嵌合カバーさせる請求項９に記載の排水口収束構造。
【請求項１３】
前記本体の該管路接続口は、ソケットカバーを設け、そのうち、２つずつ相対する複数の固定フックを設け、該ソケットカバー上の２つずつ相対する複数の固定ラッチと結合嵌合することができる請求項９に記載の排水口収束構造。
【請求項１４】
前記ソケットカバーは、中空を呈するスリーブ部を含み、該２つずつ相対する複数の固定フックにより、該スリーブ部上の２つずつ相対する複数のラッチと嵌合結合する請求項１３に記載の排水口収束構造。
【請求項１５】
前記集流部には、不可逆部が設けられる請求項９に記載の排水口収束構造。
【請求項１６】
前記スリーブ部は、湾折管に接続し、該管路接続口、該スリーブ部、該湾折管を上下に直列接続させることに用いられ、これにより、該湾折管の他端を市販の延長管路の挿入排水用とする請求項１４に記載の排水口収束構造。
【請求項１７】
前記導流片上方に高速配列片を含み、そのうち、該螺合片及び固定部材両側は、何れも２つの位置合わせ孔が設けられる請求項１０に記載の排水口収束構造。
【考案の詳細な説明】
【技術分野】
【０００１】
本考案は、排水口収束構造の技術分野に関し、特に、流れを平面排水口へ集中させて円滑に排水させ、複数の排水管を共有し、共同で効率的に排水する排水口収束構造に関する。
【背景技術】
【０００２】
モダン建築のスタイルは、絶えず更新され、多くの建築設計は、建築スタイルの美観設計を重視し、往々にして実際の建築の使用者のための細節な設計を忘れるか、全体的設計構想できてきないという問題が発生する。例えば、マンション又は一戸建て住宅の各階層の床排水設備は、建築物の完成後に各階層の床上の排水管路の変更を行うことが困難であり、一旦実際に入居した入居者は、個別の要求に応じて、配置された使用空間及び家電は、最も適当にアレンジすることが困難であり、例えば、浴室又は厨房の冷蔵庫、洗濯機、冷房機等の排水を必要とする設備は、往々にして配置により、十分な排水口がなく、排水の問題を招く。次に、室外の排気口は、往々にして洗濯機の単一の排水管が円滑に排水できるので、領域の排水区画の唯一の排水口を既に専用しており、その他の排水設備を接続できず、流し台の水管、ＰＶＣ接続管、市販の水切り管又はその他の寸法スタイルの排水管等が同時に排水する時、平明排水口の排水範囲の積水、乱雑の問題等を招き、室外で雨等の状況で、室外の床上の大量の積水が発生してその他の排水管が排水出口を占有している等の深刻な問題により排水が緩慢になり、更には、排水できなくなる。
【０００３】
上記問題を円滑に解決する為、従来の方法は、元の入出の管路を抜いて、排水する方式でゆっくりと積水を排除するか、多くの費用を費やして施工し直し、水管を増設してこの深刻な問題を解決するよりほかない。このように、時間と費用を消耗するだけでなく、更に、建築物自身の美観を破壊し、景観を損なう虞がある。
【０００４】
上記従来の問題と欠陥を如何に解決するかは、本考案の考案者とこの業界に従事する関連メーカーが研究改善の方法を欲するところとなっている。
【先行技術文献】
【特許文献】
【０００５】
【特許文献１】特開２０１３−９２０１２号公報
【考案の概要】
【考案が解決しようとする課題】
【０００６】
故に、本考案の考案者は、上記欠陥に鑑み、関連データを収集し、多方面の評価、考慮を経て、本業界に長年従事した経験により、絶えず試行、修正を行い、ようやく床上の排水口の積水、塞栓、乱雑の問題の種々の欠陥を解決する排水口収束構造を設計している。
【０００７】
本考案の目的は、床上のただ１つの排水口が同時に収束排水可能にすることにあり、本考案の排水口収束構造によって、１つの地平面の排水口が平面排水機構を保有すると同時に、１つ以上の洗濯機水管、流し台水管、ＰＶＣ接続管、市販の水切り管、その他の寸法規格様式の排水管等を接続し、同時に収集排水する時、平面排水口の排水範囲の積水、乱雑を招く問題を解決する。
【０００８】
本考案のもう１つの目的は、接続と収集の複数の排水管を提供することにあり、本考案は、排水口収束構造によって、一般の市販の排水口製品又は建物建築時に設置した室内外の平面排水口が多種様式と規格を有し、新型、旧型の排水口を含み、本考案の「嵌合式、螺合式」の２種の実施例を用いることができ、如何なる種の排水口であるかにかかわらず、何れも各式軟式、硬式管路を有効に固定し、直接固定して集流を受けることができ、排水口、複数の水管と床平面上の積水を合わせて排水する問題点の突破改善を達成する。
【０００９】
本考案のもう１つの目的は、接続口の数を変更することにあり、本考案は、多くの水が同じに排水口に流入する時、複数の外付けホース又は接続したい追加の排水管路によって複数の管路が同時に共に排水できるようにし、問題点を突破改善する。
【００１０】
本考案のもう１つの目的は、多くの水が同時に排水口に流入する時に、排水流動と空気の精巧な対流関係を発生することにあり、本考案は、排水口収束構造が、複数の排水管を含むと同時に管路接続口を接続し、それが１つ以上の集流孔の相互の空気の対流関係によって多くの水管の水流の円滑な排水を効率的に発生させることができ、室内の床面上に集まる水流を解決し、室外の各水管、室外の同時の大雨の時でも排水の円滑な作用を達成できるように問題亭を解決し、突破改善する。故に本考案は、上記三項の利点の実用性、進歩性を備える。
【課題を解決するための手段】
【００１１】
本考案の嵌合式の構成は、本体と、固定部材を含み、本体は、中空管体を呈し、該本体上部分は、少なくとも１つの管路接続口であり、そのうち、該本体の一部は、直径が外向きに徐々に大きくなる形状の集流部であり、そのうち、該集流部は、少なくとも１つの集流孔を設け、固定部材は、該集流部の内径に設けられ、下向き延伸体を呈し、該本体を排水口に嵌合固定させる用途として設けられる。そのうち、該本体下部分は、直径が外向きに徐々に拡大する形状を呈する該集流部が円錐状を呈する。そのうち、該本体の固定部材は、下向きに延伸してストリップ状を呈する複数の固定片から構成される。そのうち、該本体集流孔は、アーチ型ストリップ状を呈する。該本体の管路接続口は、該本体は、側辺へ延伸し、該本体と逆Ｌ形状を呈する。該本体の管路接続口は、該本体から両側へ延伸し、該本体とＴ字形状を呈する。該本体の側辺に外付け管口を設け、該本体の該管路接続口は、２つずつ相対する複数の固定フックを設け、ソケットカバー上の固定ラッチにより嵌合結合することに用いる。そのうち、該管接続口は、スリーブ部上の固定ラッチと結合することができる２つずつ相対する複数の固定フックと、該スリーブ部上に接続され、該管路接続口に用いる湾折管であり、該スリーブ、該湾折管は、相互に直列接続でき、これにより、市販の外付け排水ホースを該湾曲管他端に挿入することができる湾折管と、を設ける。
【００１２】
本考案の螺合式の構成は、以下である。本体は、中空管体を呈し、該本体は、少なくとも１つの管路接続口であり、該本体下部分は、固定部材を設け、該本体を排水口に螺合させ、本体下部を底上げすることに用い、そのうち、該固定部材は、底上げ固定されて２辺の集流部を形成する。そのうち、該本体固定部材は、導流片を含み、そのうち、該導流片は、１つ以上の導流孔、螺合片、螺合孔、螺子、タイルを設け、これにより該本体該本体を排水口に螺合する。そのうち、該本体は、スリーブ部と、ホースコネクタと、を含み、そのうち、該スリーブ部は、２つの相対するラッチと、２つの相対するフックと、を設け、該スリーブ部及び該ホースコネクタを該本体管路接続口に固定させ、これにより、市販の外付け排水ホースを排水用に挿入させることができる。そのうち、該本体は、使用していないそのうちの該管路接続口にソケットカバーを設け、該ソケットカバーを使用していないそのうちの該その他の管路接続口を嵌合カバーさせる。そのうち、該本体の該管路接続口は、ソケットカバーを設け、そのうち、２つずつ相対する複数の固定フックを設け、該ソケットカバー上の２つずつ相対する複数の固定ラッチと結合嵌合することができる。そのうち、該ソケットカバーは、中空を呈するスリーブ部を含み、該２つずつ相対する複数の固定フックにより、該スリーブ部上の２つずつ相対する複数のラッチと嵌合結合する。そのうち、該集流部は、不可逆部を設ける。該スリーブ部は、湾折管に接続し、該管路接続口、該スリーブ部、該湾折管を上下に直列接続させることに用い、これにより、該湾折管の他端を市販の延長管路の挿入排水用とする。そのうち、該導流片上方に高速配列片を含み、そのうち、該螺合片及び固定部材両側は、何れも２つの位置合わせ孔を設ける。
【考案の効果】
【００１３】
本考案の排水口収束構造は、上記のように従来技術が外付け管路及び水管を効率的に同時に使用し、室内外の床面上の積水を同時に収束させ、有効に集流させることができるという実用性、進歩性を有する。
【図面の簡単な説明】
【００１４】
【図１】本考案の代表図である。
【図２】本考案の側辺へ延伸して逆Ｌ形状を呈する立体図面である。
【図３】本考案の側辺へ延伸してＴ字形状を呈する立体図面である。
【図４】本考案の側辺に管口を設け、ソケットカバーを取り付ける説明図である。
【図５】本考案の本体にスリーブ部と湾折管を取り付けた説明図である。
【図６】本考案の螺合式剥離面の説明図である。
【図７】本考案の螺合式の分解立体図である。
【図８】本考案の螺合式ソケットカバーの立体図である。
【図９】本考案の螺合式ソケットカバーの立体図である。
【図１０】本考案の螺合式ホースコネクタの立体図である。
【図１１】本考案の螺合式ホースコネクタの立体図である。
【図１２】本考案の螺合式固定フック及び固定ラッチの相対位置の説明図である。
【図１３】本考案の螺合式不可逆部の分解図である。
【図１４】本考案の螺合式の湾折管を取り付けた分解図である。
【図１５】本考案の螺合式の不可逆部及び湾折管の分解図である。
【図１６】本考案の螺合式の高速配列片の説明図である。
【考案を実施するための形態】
【００１５】
図１を参照し、それは、本考案の代表図であり、図に示すように、排水口収束構造（嵌合式形態）は、本体１０と、固定部材３０を含み、本体１０は、中空管体を呈し、該本体１０、１０ａ、１０ｂ、１０ｃ上部分が少なくとも１つ以上の外管路接続口１１であり、そのうち、該本体１０下部分は、直径が外向きに徐々に拡大する形状を呈する集流部２０を有し、そのうち、該集流部２０は、少なくとも１つ以上の集流孔２１を設け、固定部材３０は、該集流部２０の内径に設けられ、下向き延伸体を呈し、該本体１０を排水口に嵌合させることができ、そのうち、該本体１０下部分は、直径が外向きに徐々に拡大する形状を呈する該集流部２０が円錐状を呈し、そのうち、該本体１０の固定部材３０は、下向きに延伸してストリップ状を呈する複数の固定部材３１から構成され、そのうち、該本体１０の集流孔２１は、アーチ型のストリップ状を呈する。
【００１６】
図２を参照し、それは、本考案の側辺が延伸して逆Ｌ形状を呈する立体図である。
【００１７】
（嵌合式形態）そのうち、該本体１０ａの管路接続口１１は、該本体１０ａから側辺へ延伸して該本体１０ａと逆Ｌ形状を呈する。
【００１８】
図３を参照し、それは、本考案の両側へ延伸してＴ字形状を呈する立体図である。
【００１９】
（嵌合式形態）そのうち、該管路接続口１８は、該本体６８から両側へ延伸して該本体６８とＴ字形状を呈する。
【００２０】
図４を参照し、それは、本考案の該本体の側辺に外付け管口１０ｃを設け、本体の管路接続口は、２つずつ相対する複数の固定フック４５ａを設け、ソケットカバー８０上の固定ラッチ６２ａと結合することができる。
【００２１】
図５を参照し、それは、本考案の該本体１０の側辺に外付け管口１０ｃを設け、該本体１０の該管路接続口１１に２つずつ相対する複数の固定フック４５ａを設け、ソケットカバー８０上の固定ラッチ６２ａと嵌合固定することに用い、湾折管を本接続口に固定することができ、これにより、市販の外付け排水ホースを挿入排水用にすることができる。
【００２２】
図６を参照し、それは、本考案の該本体１０の側辺に外管路接続口１０ｃと、湾折管と、を設け、その管路接続口１１は、２つずつ相対する複数の固定フック４５ａを設け、スリーブ部６０上の固定ラッチ６２ａと結合することができ、湾折管は、該スリーブ部６０上に接続され、該管路接続口１１に用い、該スリーブ６０、該湾折管１２を相互に直列接続させることができ、これにより、市販の外付け排水ホースを該湾折管１２の他端に挿入させることができる。
【００２３】
本考案の図６を参照し、それは、本考案のもう１つの実施例の断面図である。
【００２４】
（螺合式形態）図６〜図１５に示すように、本体４０、４０ａ、４０ｂ、４０ｃ、４０ｄ、４０ｅ、４０ｆは、中空管体を呈し、該本体４０、４０ａ、４０ｂ、４０ｃ、４０ｄ、４０ｅ、４０ｆは、少なくとも１つの外管路接続口４１であり、該本体４０、４０ａ、４０ｂ、４０ｃ、４０ｄ、４０ｅ、４０ｆは、固定部材４２を設け、該本体４０、４０ａ、４０ｂ、４０ｃ、４０ｄ、４０ｅ、４０ｆを排水口に螺合し、本体４０、４０ａ、４０ｂ、４０ｃ、４０ｄ、４０ｅ、４０ｆ下部を底上げすることに用いる。そのうち、該固定部材４２が固定底上げすることにより、両辺の集流部４３を形成する（図６参照）。
【００２５】
本考案の図７を参照し、それは、本考案のもう１つの実施例の分解立体図である。
【００２６】
（螺合式形態）図６〜図１５を参照し、そのうち、該本体４０、４０ａ、４０ｂ、４０ｃ、４０ｄ、４０ｅ、４０ｆの固定部材４２は、導流片５０を設け、そのうち、該導流片５０は、１つ以上の導流孔５２、螺合片２５、螺合孔５１、螺子５３、タイル５４を設け、これにより、該本体４０、４０ａ、４０ｂ、４０ｃ、４０ｄ、４０ｅ、４０ｆの排水口に固定することに用いる。
【００２７】
本考案の図７を参照し、本考案のもう１つの実施例の分解立体図である。
【００２８】
（螺合式形態）そのうち、該本体４０は、スリーブ部６０、ホースコネクタ７０を含み、そのうち、該スリーブ部６０は、２つのラッチ６２、相対する２つのフック４５を設け、該スリーブ部６０及び該ホースコネクタ７０を該本体４０の管路接続口４１に固定し、これにより、市販の外付け排水ホースを排水用に挿入させることができる。
【００２９】
本考案の図１２、図１３を参照し、該本体４０ｅの該管路接続口４１は、ソケットカバー８０を設け、そのうち、２つずつ相対する複数の固定フック４５ａを設け、該ソケットカバー８０上の２つずつ相対する複数の固定ラッチ６２ａと結合嵌合することができる。そのうち、該集流部４３は、不可逆部８１を増設することができる。
【００３０】
図１４、図１５を参照し、本考案のもう１つの実施例の分解立体図であり、図に示すように、そのうち、該ソケットカバー８０は、中空を呈するスリーブ部６０を含み、該２つずつ相対する複数の固定フック４５ａにより、該スリーブ部６０上の２つずつ相対する複数の固定ラッチ６２ａと結合嵌合することができる。該スリーブ部６０は、湾折管１２を接続し、該管路接続口４１、該スリーブ部６０、該湾折管を上下直接可能にし、これにより、該湾折管１２の他端を市販の延長管路の挿入排水用とすることができる。
【００３１】
図１６を参照し、そのうち、該導流片５０上方に高速配列片５０ａを設け、そのうち、該螺合片２５及び該固定部材４２両側は、何れも２つの位置合わせ孔５１ａを設ける。高速配列片は、排水速度を増加させることができ、位置合わせ孔は、相互に位置合わせし、導流片と本体を相互に位置合わせすることができる。
【００３２】
上記のように、本考案の図１〜図１５に示すように、嵌合式実施例、螺合式実施例を含み、この部分は、各種市販の例えば、洗濯機の排水管、各式外付け式軟式排水管、硬式排水管を、何れも多様式管路接続口１１、４１、１２に介することができ、本考案の本体１０、１０ａ、１０ｂ、１０ｃ、４０、４０ａ、４０ｂ、４０ｃ、４０ｄ、４０ｅ、４０ｆ、集流部２０、４３、集流孔２１、固定部材３０、４２、固定片３１、導流片５０、導流孔５２、螺合片２５、螺合孔５１、螺子５３、タイル５４、ラッチ６２、固定ラッチ６２ａ、フック４５、固定フック４５ａ、スリーブ部６０、ホースコネクタ７０、ソケットカバー８０、不可逆部８１は、その使用の要求に応じて製造生産され、１つが床面の排水口にあり、同時に平面排水機能を保有し、更に、１つ以上の洗濯機水管、流し台水管、ＰＶＣ接続管、市販の水切り管又はその他の寸法様式の排水管等を接続し、同時に排水する時、平面の排水口の排水範囲の積水、乱雑の問題を解決し、各国家又は各種利用者の要求に応じて１つ以上の外付け管路接続口１１，４１及び嵌合式形態の複数の集流孔２１、又は螺合式形態の集流部４３を設計することができる。
【００３３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３４】
１  本体
１０ａ  本体
１０ｂ  本体
１０ｃ  外付け管口
１１  管路接続口
１２  湾折管
２０  集流部
２１  集流孔
３０  固定部材
３１  固定片
４０  本体
４０ａ  本体
４０ｂ  本体
４０ｃ  本体
４０ｄ  本体
４０ｅ  本体
４０ｆ  本体
４１  管路接続口
４２  固定部材
４３  集流部
５０  導流部
５２  導流孔
５０ａ  高速配列片
５１ａ  位置合わせ孔
２５  螺合片
５１  螺合孔
５３  螺子
５４  タイル
６０  スリーブ部
７０  ホースコネクタ
６２  ラッチ
４５  フック
６２ａ  固定ラッチ
４５ａ  固定フック
８０  ソケットカバー
８１  不可逆部
【図１】
0003201842.tif 000003
【図２】
0003201842.tif 000004
【図３】
0003201842.tif 000005
【図４】
0003201842.tif 000006
【図５】
0003201842.tif 000007
【図６】
0003201842.tif 000008
【図７】
0003201842.tif 000009
【図８】
0003201842.tif 000010
【図９】
0003201842.tif 000011
【図１０】
0003201842.tif 000012
【図１１】
0003201842.tif 000013
【図１２】
0003201842.tif 000014
【図１３】
0003201842.tif 000015
【図１４】
0003201842.tif 000016
【図１５】
0003201842.tif 000017
【図１６】
0003201842.tif 000018